(57)【要約】【課題】ＧＳＭ/ＥＤＧＥシステム等からＬＴＥシステム等に対するモニタリング時間を増加させ、少ない試行回数でのセル同期を可能とし、またこの時、消費する電流を極力小さくすることができる移動体送受信機等を提供すること。【解決手段】移動体送受信機は、２つ以上の動作モードに対応し、各モード用のＲＦＩＣを備え、一つのモードでの動作時に、該動作に影響のない部分で他のモードの動作をモニタリングする。【選択図】図２
2010239378.tif 000002
【特許請求の範囲】
【請求項１】
２つ以上の動作モードに対応する移動体送受信機において、
各モード用のＲＦＩＣを備え、
一つのモードでの動作時に、該動作に影響のない部分で他のモードの動作をモニタリングすることを特徴とする移動体送受信機。
【請求項２】
前記２つ以上の動作モードは少なくともＧＳＭ/ＥＤＧＥ動作とＬＴＥ動作を含み、
ＧＳＭ/ＥＤＧＥ動作とＬＴＥ動作については別々のＲＦＩＣを用意し、これらを適切に制御することによって、ＧＳＭ/ＥＤＧＥがマスタ動作である際のＬＴＥモニタリングを確実に行うことを特徴とする請求項１記載の移動体送受信機。
【請求項３】
前記２つ以上の動作モードはＧＳＭ/ＥＤＧＥ動作とＬＴＥ動作であり、
ＧＳＭ/ＥＤＧＥ動作がマスタ動作のときに、基地局からＧＡＰ開始点のタイミングを受け、該ＧＡＰ開始点の前にＬＴＥ動作用のＲＦＩＣを使用するために必要な処理を該ＲＦＩＣに対して行っておき、
その後、前記該ＧＡＰ開始点からＬＴＥ動作用のＲＦＩＣを動作させ、ＬＴＥをモニタリングすることを特徴とする請求項１記載の移動体送受信機。
【請求項４】
前記ＲＦＩＣに対して行う、ＬＴＥ動作用のＲＦＩＣを使用するために必要な処理は、
前記必要な処理時間をt1とした時、該ＧＡＰ開始点の前に、ｔ１− (GAP区間長 − 必要モニタリング時間)だけ先だって行われる事を特徴とする請求項２または３記載の移動体送受信機。
【請求項５】
２つ以上の動作モードに対応する各モード用のＲＦＩＣを備えた移動体送受信機における送受信方法であって、
一つのモードでの動作時に、該動作に影響のない部分で他のモードの動作をモニタリングすることを特徴とする送受信方法。
【請求項６】
前記２つ以上の動作モードは少なくともＧＳＭ/ＥＤＧＥ動作とＬＴＥ動作を含み、
ＧＳＭ/ＥＤＧＥ動作とＬＴＥ動作については別々のＲＦＩＣを用意し、これらを適切に制御することによって、ＧＳＭ/ＥＤＧＥがマスタ動作である際のＬＴＥモニタリングを確実に行うことを特徴とする請求項５記載の送受信方法。
【請求項７】
前記２つ以上の動作モードはＧＳＭ/ＥＤＧＥ動作とＬＴＥ動作であり、
ＧＳＭ/ＥＤＧＥ動作がマスタ動作のときに、基地局からＧＡＰ開始点のタイミングを受け、該ＧＡＰ開始点の前にＬＴＥ動作用のＲＦＩＣを使用するために必要な処理を該ＲＦＩＣに対して行っておき、
その後、前記該ＧＡＰ開始点からＬＴＥ動作用のＲＦＩＣを動作させ、ＬＴＥをモニタリングすることを特徴とする請求項５記載の送受信方法。
【請求項８】
前記ＲＦＩＣに対して行う、ＬＴＥ動作用のＲＦＩＣを使用するために必要な処理は、
前記必要な処理時間をt1とした時、該ＧＡＰ開始点の前に、ｔ１− (GAP区間長 − 必要モニタリング時間)だけ先だって行われる事を特徴とする請求項６または７記載の送受信方法。
【発明の詳細な説明】
【技術分野】
【０００１】
本発明は、マルチモード動作をサポートした端末の動作制御技術に関する。
【背景技術】
【０００２】
ＬＴＥ(Long Time Evolution)と呼ばれる通信方式は現行の３Ｇ通信システムを更に発展し、データ高速化を実現する方式として期待されている。
【０００３】
上記の方式は、ＯＦＤＭＡあるいはＳＣ-ＦＤＭＡ受送信方式を用い基地局との交信を行う通信方式であり、３ＧＰＰ(3G Partner  Project)においてはＴＳ３６シリーズの規格として標準化作業が行われている。
【０００４】
しかしながら、ＬＴＥは未だ商用化に向け規格策定段階であり、商用開始時の端末においては、サービスエリアの狭さをカバーするために、(ＷＣＤＭＡ、ＧＳＭといった)既存の通信方式とのマルチモードのサポートが想定されている。
【０００５】
このようにマルチモード動作をサポートした端末においては、ＬＴＥ動作時においても従来方式の基地局の送出する下り電力を測定したり、あるいは報知情報を取得する必要がある。
また逆に従来方式での動作時にＬＴＥ基地局の送出する下り電力測定を行ったり、ＬＴＥ基地局の送出する報知情報を取得する必要がある。
またこの際、ＬＴＥ基地局の報知情報を取得するためには、セル同期と呼ばれる手順によって、ＬＴＥ基地局の送出するフレームタイミングを正確に把握する必要がある。
【０００６】
図２は、ＧＳＭ動作中にＬＴＥ基地局の下り電力測定を行う際のタイミングチャートである。
【０００７】
ＧＳＭは、８スロットからなる４．６２ｍｓ無線フレームを使用しており、１２０ｍｓに一度の空白フレームと３スロットの送受スロット間隔を利用してモニタリングを行う必要がある。この区間をＧＡＰ区間４１２と示した。
【０００８】
また図２は、ＧＳＭ/ＥＤＧＥ動作およびＬＴＥ動作に対し、同一のマルチモードＲＦＩＣを用いることを想定している。
【０００９】
図２において、ＲＦＩＣ１は当初ＧＳＭ/ＥＤＧＥ動作４０１を行っているが、デジタルベースバンドの制御に従い、ＧＡＰ開始点４１０においてＬＴＥ動作へのモード切替、および周波数設同期およびＡＧＣ動作４０２を開始する。
【００１０】
また、ＬＴＥモニタリング動作４０３終了後にＲＦＩＣはＬＴＥ動作を停止し、ＧＳＭ/ＥＤＧＥ動作へのモード切替動作および周波数同期およびＡＧＣ動作４０４を行う。この後再び、ＧＳＭ/ＥＤＧＥ動作４０５を再開する。
【００１１】
一方、モニタリングされる側のシステムとなるＬＴＥシステムにおける、セル同期に必要なモニタリング時間は、セルとのタイミング同期を行うためには、少なくとも１つの同期チャネル(Ｓ-ｃｈ)を補足する必要がある。しかし同期チャネルは５ｍｓ間隔に存在し、またそれ自身は７０-９０ｕｓの時間長さをもつため、セル同期を行うためには最悪条件として５．１８ｍｓ(５．０+０．０９*２)以上のモニタリング時間が必要となる。
【００１２】
関連技術として、加入者局に対するダイナミックマルチモードサービス獲得機能を提供する技術が提案されている。その構成は、加入者局に対するダイナミックマルチモードサービス獲得機能を提供するためのシステムが提供される。加入者局は２つ以上の動作モードで動作できる。走査条件に対する時間は、加入者局がアクティブな状態と非アクティブな状態を有する現在の動作モードで動作している間に示される。システムはそれに対応して現在の動作モードについての状態情報を記憶し、別の動作モードに従って通信サービスの少なくとも部分的な獲得を試みる。前記少なくとも部分的な獲得の試みは、加入者局が現在の動作モードの非アクティブ状態で動作している間に開始され、加入者局が現在の動作モードのアクティブ状態に戻る前に完了することが予定される。獲得の試みが成功すると、加入者局は、適切な登録を維持しながら新しい動作モードに移行する。成功しない場合、加入者局は記憶された状態情報を使用し、現在の動作モードで動作を再開する（例えば、特許文献１参照）。
【先行技術文献】
【特許文献】
【００１３】
【特許文献１】特表２００５−５２５７５９号公報
【発明の概要】
【発明が解決しようとする課題】
【００１４】
しかしながら通常、ＬＴＥ周波数同期およびＡＧＣ動作４０２やＧＳＭ/ＥＤＧＥ周波数同期およびＡＧＣ動作４０４のためにはそれぞれ３３０〜１０００ｕｓｅｃ程度の時間がかかるため、ＧＳＭをマスタシステムとしたＬＴＥモニタリング時間として、５．１８ｍｓの所要時間を満たすことは極めて困難であった。このため、一度のモニタリングで目的システムの基地局と同期できない可能性があった。
【００１５】
本発明は、以上のような課題を解決するためになされたもので、ＧＳＭ/ＥＤＧＥシステム等からＬＴＥシステム等に対するモニタリング時間を増加させ、少ない試行回数でのセル同期を可能とし、またこの時、消費する電流を極力小さくすることができる移動体送受信機および送受信方法を提供することを目的とする。
【課題を解決するための手段】
【００１６】
本発明の移動体送受信機は、２つ以上の動作モードに対応する移動体送受信機において、
各モード用のＲＦＩＣを備え、
一つのモードでの動作時に、該動作に影響のない部分で他のモードの動作をモニタリングすることを特徴とする。
【００１７】
また、本発明の送受信方法は、２つ以上の動作モードに対応する各モード用のＲＦＩＣを備えた移動体送受信機における送受信方法であって、
一つのモードでの動作時に、該動作に影響のない部分で、周波数同期などの、他のモードの動作のためのモニタリング準備動作を行うことを特徴とする。
【発明の効果】
【００１８】
本発明によれば、ＧＳＭ/ＥＤＧＥシステム等からＬＴＥシステム等に対するモニタリング時間を増加させ、少ない試行回数でのセル同期を可能とし、またこの時、消費する電流を極力小さくすることができる。
【図面の簡単な説明】
【００１９】
【図１】本発明の第一の実施の形態に係る移動体端末の構成を示す図である。
【図２】ＧＳＭ動作中にＬＴＥ基地局の下り電力測定を行う際のタイミングチャートである。
【図３】本発明の第一の実施の形態に係るＲＦＩＣの駆動を示す図である。
【図４】本発明の第二の実施の形態に係るＲＦＩＣの駆動を示す図である。
【発明を実施するための形態】
【００２０】
以下、本発明の第一の実施の形態について図面を参照して詳細に説明する。図１に本実施の形態におけるマルチモード移動体送受信機としての移動体端末を示す。図１において、ＲＦＩＣ１  １０１およびＲＦＩＣ２  １０２はそれぞれ、ＬＴＥ用ＲＦＩＣと、ＧＳＭ動作可能なＲＦＩＣを示し、各々のＲＦフロントエンド１０３および１０４と、デジタルベースバンド１０７に接続され、デジタルベースバンド１０７によって制御される。
またスイッチ１０５は、これらＲＦフロントエンド１０３および１０４とアンテナまでの経路を切り替える無線スイッチデバイスであり、このスイッチ１０５もまた、デジタルベースバンド１０７によって制御されている。またデジタルベースバンド１０７は、図２で示すようなＲＦＩＣの制御機能を有する。
【００２１】
これらのＲＦＩＣを用いて図３のようにＲＦＩＣを駆動する。
まず、ＲＦＩＣ２は、図中ＧＳＭ/ＥＤＧＥ動作１  ２０１の区間においてＧＳＭ動作を行う。ＬＴＥへのモニタリングのためのＧＡＰ開始点２１０のタイミングは基地局より与えられ、デジタルベースバンド１０７は、このＧＡＰ開始点２１０を元に、少なくともＬＴＥ周波数同期およびＡＧＣ動作２０２に必要な時間ｔ１以上の余裕を持ってＲＦＩＣ１の起動と周波設定を行う。ＧＡＰの開始点２１０において、デジタルベースバンドはＲＦＩＣ１から受信を開始する。
【００２２】
この結果として、ＬＴＥモニタリング２０３の期間を、ＧＡＰ区間２１２の長さまで広げることができる。すなわち、ＧＳＭ/ＥＤＧＥ動作におけるＧＡＰ区間２１２の長さは前記の通り５．７７ｍｓであるから、ＬＴＥの基地局同期に必要な５．１８ｍｓにくらべて充分に長く、１度の試行でＬＴＥ基地局の捕捉が可能となる。
【００２３】
次に、本発明の第二の実施の形態について図面を参照して詳細に説明する。
図４は図３の本発明の第一の実施の形態に対し、更に消費電流削減の施策を施したものである。
図３の本発明の第一の実施の形態において、モニタリング開始時のＲＦＩＣ１の周波数同期動作２０２の区間でＲＦＩＣ１とＲＦＩＣ２を同時に起動させる期間が存在する。即ち、ＬＴＥ周波数同期およびＡＧＣ動作２０２と、ＧＳＭ/ＥＤＧＥ動作２０１が同時となる、区間ｔ1と、ＬＴＥモニタリング動作２０３と、ＧＳＭ/ＥＤＧＥ周波数同期動作２０４が同時となるｔ２区間である。一方、ＲＦＩＣ１とＲＦＩＣ２を同時に立ち上げることは、一時的に端末の消費電流が増加することを意味し、消費電流の観点からは好ましくない。
【００２４】
このため、図３においてデジタルベースバンド１０７は、このＧＡＰ開始点２１０を元に、ＲＦＩＣ１を、
ｔ１- (ＧＡＰ区間長 − 必要モニタリング時間)  (ｍｓ)
だけの余裕を持って立ち上げる。ここで、必要モニタリング時間はＬＴＥ動作においては５．１８ｍｓ、ＧＡＰ区間長は本例においては５．７７ｍｓである。
【００２５】
本実施例では、必要モニタリング時間はＬＴＥ動作において５．１８ｍｓ、ＧＡＰ区間長は５．７７ｍｓである。これによって、本実施の形態による端末は、図２の本発明の第一の実施の形態にくらべ、１モニタリング動作毎に(５．７７−５．１８)ｍｓの間、ＲＦＩＣ１の消費電流分を節約することができる。
【００２６】
なお、上述する各実施の形態は、本発明の好適な実施の形態であり、本発明の要旨を逸脱しない範囲内において種々変更実施が可能である。
本発明は、ＬＴＥとＧＳＭあるいはＥＤＧＥシステムを含むマルチモード携帯電話機に適用可能である。
【符号の説明】
【００２７】
１０１    ＲＦＩＣ１
１０２    ＲＦＩＣ２
１０３、１０４    ＲＦフロントエンド
１０５    スイッチ
１０７    デジタルベースバンド
【図１】
2010239378.tif 000003
【図２】
2010239378.tif 000004
【図３】
2010239378.tif 000005
【図４】
2010239378.tif 000006